(57)【要約】【課題】カメラモジュールを回路基板に仮どめした状態で電話機筐体に取り付けるため組立作業が容易になるとともに、薄型化を図ることができるカメラ付携帯電話機を提供する。【解決手段】第１の筐体１３と、第１の筐体１３に配設される回路基板２０とカメラモジュール３０とを備え、回路基板２０は取付け穴２７を有し、カメラモジュール３０は電磁シールドケース３４を有し、カメラモジュール３０の電磁シールドケース３４に設けたクリップ部３６を回路基板２０の取付け穴２７に挿入し保持する。【選択図】図２
2010141629.tif 000002
【特許請求の範囲】
【請求項１】
筐体と、前記筐体内に配設される回路基板とカメラモジュールとを備え、
前記回路基板は、取付け穴を有し、
前記カメラモジュールは、電磁シールド用の板金を有し、
前記カメラモジュールの前記電磁シールド用の板金に設けたクリップ部を前記回路基板の前記取付け穴に挿入し保持することを特徴とするカメラ付携帯電話機。
【請求項２】
前記カメラモジュールの前記電磁シールド用の板金は、前記回路基板と電気的に接続されたバネ接点と当接するとともに、前記バネ接点の反対側の面において押さえ部品と当接することを特徴とする請求項１記載のカメラ付携帯電話機。
【請求項３】
前記カメラモジュールは、前記筐体の位置決め部に挟んで固定されたことを特徴とする請求項１または請求項２に記載のカメラ付携帯電話機。
【発明の詳細な説明】
【技術分野】
【０００１】
本発明は、カメラ付携帯電話機に関し、より詳細にはカメラモジュールの固定構造に関するものである。
【背景技術】
【０００２】
カメラ付き携帯電話機の小型化を実現するために、カメラユニットを、第２の筐体内に配置された回路基板に設けられた切り欠き部に配置し、カメラユニット内の回路と回路基板とを、カメラユニットのフレキシブル基板の先端に取り付けてある接続端子と回路基板の端子部とを接続することで電気的に接続するものが知られている（例えば、特許文献１参照）。
【０００３】
また、固体撮像装置（カメラモジュール）は、固体撮像素子と、撮像レンズおよび光学フイルタを支持する鏡筒と、固体撮像素子および鏡筒が固定された基板とを備え、鏡筒の円筒部を携帯電話機筐体の位置決め部に挿嵌し、鏡筒の本体部天面を位置決め部に当接させ、ピンを携帯電話機筐体の位置決め部に挿嵌することによって、携帯電話機に装着するものが知られている（例えば、特許文献２参照）。
【特許文献１】特開２００５−１５７１０７号公報
【特許文献２】特開２００３−２９８８９１号公報
【発明の開示】
【発明が解決しようとする課題】
【０００４】
しかしながら、カメラ付き携帯電話機の薄型化のために、実装物や構造物の実装配置関係によって、カメラモジュールの直近の基板上に、コネクタを配置できない場合、また、メイン基板の片面にキーを設ける等して、他の電気部品は他の片面に実装するような配置関係において、空間的な制約によってメイン基板のキーを設けた面にはコネクタを設けることができない場合などの理由により、フレキシブル基板の長さを長くせざるを得なくなる。このため、携帯電話機の組立時に長いフレキシブル基板がぶらぶらして作業性が悪いという課題を有していた。そこで、カメラモジュールを携帯電話機へ取り付ける場合に、組立作業の容易化のために、カメラモジュールを仮どめできるようにすることが望まれる。
【０００５】
カメラモジュールを仮どめする場合、樹脂等の取り付け部材を追加すれば形状寸法の精度を出し易く、結果としてカメラモジュールの取付も容易になるが、樹脂等の取り付け部材自体の樹脂の厚さが必要となり、その分だけ、カメラモジュール付近のスペースを必要とするため、携帯電話機が大型化してしまうとともに、場合によっては厚くなってしまうこともありえた。
【０００６】
本発明は、このような従来の課題を解決するためになされたもので、カメラ付き携帯電話機の小型化、薄型化を実現しつつ、携帯電話機へのカメラモジュールの取付、組立の容易化を実現することを目的とする。
【課題を解決するための手段】
【０００７】
本発明のカメラ付携帯電話機は、筐体と、筐体内に配設される回路基板とカメラモジュールとを備え、回路基板は取付け穴を有し、カメラモジュールは電磁シールド用の板金を有し、カメラモジュールの電磁シールド用の板金に設けたクリップ部を回路基板の取付け穴に挿入し保持する構成を有している。
【０００８】
この構成により、カメラモジュールに装備された電磁シールド用の板金のクリップ部を回路基板の取付け穴に挿入することによって、カメラモジュールを回路基板に仮どめ保持することができる。
【０００９】
また、本発明のカメラ付携帯電話機は、カメラモジュールの電磁シールド用の板金は、回路基板と電気的に接続されたバネ接点と当接するとともに、バネ接点の反対側の面において押さえ部品と当接する構成を有している。
【００１０】
この構成により、カメラモジュールの電磁シールド用の板金は、回路基板と電気的に接続されるとともに、カメラモジュールはバネ接点とバネ接点の反対側の面の押さえ部品とで位置決めされることとなる。
【００１１】
また、本発明のカメラ付携帯電話機は、カメラモジュールは、筐体の位置決め部に挟んで固定される構成を有している。
【００１２】
この構成により、カメラモジュールは、筐体の位置決め部に挟んで最終的な固定がなされることとなる。
【発明の効果】
【００１３】
本発明のカメラ付携帯電話機は、筐体と、筐体内に配設される回路基板とカメラモジールとを備え、回路基板は取付け穴を有し、カメラモジュールは電磁シールド用の板金を有し、カメラモジュールの電磁シールド用の板金に設けたクリップ部を回路基板の取付け穴に挿入し保持する構成を有することにより、カメラモジュールを樹脂等の取り付け部材を必要とせずに回路基板に仮どめ保持することができるため携帯電話機筐体へのカメラモジュールの取付の容易化を図るとともに携帯電話機の小型化、薄型化を図ることができる。
【発明を実施するための最良の形態】
【００１４】
以下、本発明の実施の形態のカメラ付携帯電話機について、図面を用いて説明する。
【００１５】
（実施の形態１）
図１は、本発明の実施の形態１におけるカメラ付携帯電話機の外観図で、図１（ａ）は第２の筐体を開いた状態を示す正面図、図１（ｂ）は第２の筐体を閉じた状態を示す正面図、図１（ｃ）は第２の筐体を閉じた状態を示す背面図である。
【００１６】
図１において、本実施の形態のカメラ付携帯電話機１０は、片面に操作キーなどの操作部１１を配設し他の面にカメラなどの撮影部１２を配設した第１の筐体１３と、片面にＬＣＤなどによるメイン表示部１５を配設し他の面にＬＣＤなどによるサブ表示部１６を配設した第２の筐体１７とが、ヒンジ部１８で折畳み開閉自在に連結されている。
【００１７】
カメラなどの撮影部１２を用いて撮影する場合には、撮影部１２を被写体に向けて撮影画角などをメイン表示部１５で確認しながら撮影を行なうことができる構成であり、前述の操作部１１、メイン表示部１５、サブ表示部１６、第２の筐体１７およびヒンジ部１８は本発明と関係ないため説明は省略する。
【００１８】
以上のように構成されたカメラ付携帯電話機の第１の筐体の内部構造について、以下に説明する。
【００１９】
図２は、回路基板とカメラモジュールの斜視図および組立図である。
【００２０】
図２（ａ）において、回路基板２０は、第１の筐体１３に配設される基板で、基板２３に操作キーなどの電気部品および回路部品２４と接続部２５が実装されている。基板２３は後述のカメラモジュール３０が配置される位置に切り欠き部２６と切り欠き部２６の近傍に取付け穴２７を有している。
【００２１】
カメラモジュール３０は、レンズ３２と、レンズ鏡筒３３と、撮像素子およびカメラ基板（いずれも図示しない）と、電磁シールドケース３４と、カメラ基板に接続され先端に接続部３８を有すフレキシブル基板３７とで構成されている。
【００２２】
電磁シールドケース３４は、電磁シールドを目的とした薄肉金属板で形成されたケースでレンズ３２の位置する面とレンズ鏡筒３３の一部を除く全ての面をケーシングしており、略角柱形状でレンズ３２と同じ面に形成された肩部３４ａと先端の折り曲げ面３４ｃにクリップ部３６を形成した腕部３４ｂを有す。
【００２３】
図２（ｂ）は、回路基板とカメラモジュールの組立図で、基板２３の取付け穴２７に下方より電磁シールドケース３４の折り曲げ面３４ｃを挿入し、フレキシブル基板３７の先端の接続部３８を接続した状態を示す。
【００２４】
折り曲げ面３４ｃを挿入した状態では折り曲げ面３４ｃに形成されたクリップ部３６が抜け防止の役目をするため回路基板２０からカメラモジュール３０が脱落することはなく、回路基板２０とカメラモジュール３０が仮どめされたことになる。
【００２５】
なお、図３は、回路基板とカメラモジュール示す他の形態の斜視図で、図２と同様の構成には同一番号を付して説明は省略する。
【００２６】
電話機筐体内部のスペース制約や回路基板上の電気部品および回路部品の配置制約などより回路基板２１の接続部２８を基板２３の裏面に設けた場合で、カメラモジュール３１のフレキシブル基板３９も形状対応しており、この場合も上述と同様に回路基板２１とカメラモジュール３１が仮どめできる。
【００２７】
また、図４は、クリップ部の断面形状例を示す。
【００２８】
図４（ａ）は、図２（ｂ）に示すクリップ部の断面図である。
【００２９】
折り曲げ面３４ｃに形成されたクリップ部３６の高さ（ｈ）は、取付け穴２７の幅より若干大きく形成されており下方より荷重を加えて押し込むことにより弾性変形して係止される。折り曲げ面３４ｃを挿入した状態ではクリップ３６部が抜け防止の役目をするため回路基板２０からカメラモジュール３０が脱落することはなく、回路基板２０とカメラモジュール３０が仮どめされたことになる。
【００３０】
図４（ｂ）は、電磁シールドケース３４の一面にも同形状のクリップ部３６ｂを形成したものでより安定した状態でカメラモジュール３０を仮どめ保持できる。
【００３１】
図４（ｃ）は、腕部３４ｂを長くして折り曲げ面３４ｃを切り起こし形成したものでひとつのクリップ部３６で図４（ｂ）と同様により安定した状態でカメラモジュール３０を仮どめ保持できる。
【００３２】
次に、図５を用いてカメラモジュールが仮どめされた回路基板を電話機筐体内部に固定する方法について説明する。
【００３３】
図５は、第１の筐体の内側ケースに組み込まれる状態を示す図である。
【００３４】
図５（ａ）は、第１の筐体の内側ケース５１に組み込まれる状態を示す平面図で第２の基板５５の下方にカメラモジュール３０が仮どめされた回路基板２０が位置している。
【００３５】
図５（ｂ）は、図５（ａ）のＡ−Ａ断面図である。
【００３６】
まず、第１の筐体の内側ケース５１の所定位置にカメラモジュール３０が仮どめされた回路基板２０が取り付けられる。この時、カメラモジュール３０の下面は回路基板２０の基板２３と電気的に接続されたバネ接点５２に当接し、バネ接点５２で付勢されるため図に示すように傾いた状態で保持される。
【００３７】
次に、第２の基板５５を所定位置に取り付けると第２の基板の一部が電磁シールドケース３４の肩部３４ａを矢印で示す方向に押し付けられ、カメラモジュール３０は反対側から付勢されているバネ接点５２の押圧力によって傾きのない所定の角度に規制される。
【００３８】
なお、図５（ｃ）は、別の押さえ部品５６で電磁シールドケース３４の肩部３４ａを矢印で示す方向に押し付けて、カメラモジュール３０を傾きのない所定の角度に規制されるようにしたものである。
【００３９】
図６は、本発明の他の実施の形態の基板とカメラモジュールの構成を示した図である。
【００４０】
図６（ａ）では、基板２３に取付け穴２７を２箇所設けたことにより、前述の第２の基板５５または押さえ部品５６を設けなくてもカメラモジュール３０を傾きのない所定の角度に規制することができる。
【００４１】
また、図６（ｂ）では、基板２３に第２の切り欠き部２６ｂを設け、第２の切り欠き部２６ｂにカメラモジュール３０に形成された第２のクリップ３６ｃによっても仮どめされるため、前述の第２の基板５５または押さえ部品５６を設けなくてもカメラモジュール３０を傾きのない所定の角度に規制することができる。
【００４２】
図７は、第１の筐体の模式的分解斜視図と要部断面図である。
【００４３】
図７（ａ）は、第１の筐体の模式的分解斜視図で、第１の筐体１３は表面にフイルタ７２を有し内面にカメラモジュール３０のレンズ鏡筒３３が挿嵌する位置決め部を有す外側ケース７１と、第２の基板５５と、カメラモジュール３０が仮どめされた回路基板２０と、バネ接点５２が取り付けられた内側ケース５１とで構成されている。
【００４４】
図７（ｂ）は、第１の筐体の組立後の要部断面図で、外側ケース７１の内側に形成された位置決め部７３にカメラモジュール３０のレンズ鏡筒３３が挿嵌されかつ反対面よりバネ接点５２で付勢された状態を示している。
【００４５】
以上のように本実施の形態のカメラ付携帯電話機によれば、カメラモジュールを回路基板に仮どめした状態で電話機筐体に取り付けるため組立作業が容易なるとともに携帯電話機の薄型化を図ることができる。
【００４６】
なお、本実施の形態では折り畳み式携帯電話機について説明したが、本発明はこれに限ることなく、スライド式携帯電話機や回転式携帯電話機やストレート式携帯電話機であってもよい。
【００４７】
なお、本実施の形態ではカメラモジュールの保持方法について説明したが、本発明はこれに限ることなく、スピーカーやマイクなどの音声発信・受信部品や、液晶ディスプレイや有機ＥＬディスプレイなどの表示部品、ＬＥＤやストロボなどの発光部品、また回路基板そのものの保持方法であってもよい。
【産業上の利用可能性】
【００４８】
以上のように、本発明にかかるカメラ付携帯電話機は、カメラモジュールを回路基板に仮どめした状態で電話機筐体に取り付けるため組立作業が容易なるとともに薄型化を図ることができるという効果を有し、カメラ付携帯電話機等として有用である。
【図面の簡単な説明】
【００４９】
【図１】本発明の実施の形態のカメラ付携帯電話機の外観図
【図２】本発明の実施の形態の回路基板とカメラモジュールの斜視図および組立図
【図３】本発明の他の実施の形態の回路基板とカメラモジュールの斜視図
【図４】本発明の実施の形態のクリップ部の断面図
【図５】本発明の実施の形態の第１の筐体に組み込まれた状態を示した図
【図６】本発明の他の実施の形態の回路基板とカメラモジュールの構成を示した図
【図７】本発明の実施の形態の第１の筐体の模式的分解斜視図と要部断面図
【符号の説明】
【００５０】
１３    第１の筐体
２０，２１    回路基板
２３    基板
２７    取付け穴
３０，３１    カメラモジュール
３４    電磁シールドケース
３６，３６ｂ，３６ｃ    クリップ部
５１    内側ケース
５２    バネ接点
５５    第２の基板
５６    押さえ部材
７１    外側ケース
７３    位置決め部
【図１】
2010141629.tif 000003
【図２】
2010141629.tif 000004
【図３】
2010141629.tif 000005
【図４】
2010141629.tif 000006
【図５】
2010141629.tif 000007
【図６】
2010141629.tif 000008
【図７】
2010141629.tif 000009